(57)【要約】      （修正有）【課題】磁力によってネジを吸引することによらず、ネジ回しからネジが脱落することを防止することができるネジ回しを提供する。【解決手段】ネジ３０１の頭部３０３に係合する係合部２１ａを先端に有し、頭部に係合部が係合した状態でネジの軸回りに回転することでネジを回転させるネジ回し棒２１と、係合部が頭部に係合したネジの側方から当接部がネジに当接することでネジを保持する保持手段であって、係合部を軸方向に沿って頭部に向かって相対的に進め係合部を頭部に係合させる過程である接近過程において当接部がネジの側方からネジに当接し、頭部に係合した係合部を軸方向に沿って頭部から相対的に遠ざける過程である脱離過程において当接部がネジへの当接を解放するものである保持手段とを備えてなる。【選択図】図７
0003156695.tif 000002
【実用新案登録請求の範囲】
【請求項１】
ネジの頭部に係合する係合部を先端に有し、頭部に係合部が係合した状態でネジの軸回りに回転することでネジを回転させるネジ回し棒と、
係合部が頭部に係合したネジの側方から当接部がネジに当接することでネジを保持する保持手段であって、係合部を軸方向に沿って頭部に向かって相対的に進め係合部を頭部に係合させる過程である接近過程において当接部がネジの側方からネジに当接し、頭部に係合した係合部を軸方向に沿って頭部から相対的に遠ざける過程である脱離過程において当接部がネジへの当接を解放するものである、保持手段と、
を備えてなる、ネジ回し。
【請求項２】
保持手段が、先端近傍の内面が当接部としてネジの頭部を嵌入又は挟持し、ネジ回し棒に外嵌される保持筒体を有してなる、請求項１に記載のネジ回し。
【請求項３】
保持筒体は、先端縁からネジ回し棒の長手方向に沿ったスリットを有するものである、請求項２に記載のネジ回し。
【請求項４】
保持筒体の外周を巡るように周回され前記スリットの幅を縮める弾性部材をさらに有するものである、請求項３に記載のネジ回し。
【請求項５】
弾性部材が、スリットが形成された保持筒体の部分をネジ回し棒の長手方向に沿って移動可能なものである、請求項４に記載のネジ回し。
【請求項６】
保持筒体が、ネジ回し棒の長手方向に沿ってスライド可能なものである、請求項２乃至５のいずれか１に記載のネジ回し。
【請求項７】
保持手段が、保持筒体を先端方向に付勢する付勢手段を有してなる、請求項６に記載のネジ回し。
【請求項８】
保持手段が、ネジ回し棒と保持筒体の基端とに外嵌されネジ回し棒に取り付けられる介在筒体であって、保持筒体が所定位置を越えて先端方向に移動することを禁止する介在筒体を有してなる、請求項７に記載のネジ回し。
【請求項９】
付勢手段が介在筒体に内蔵されるものである、請求項８に記載のネジ回し。
【考案の詳細な説明】
【技術分野】
【０００１】
本考案は、ネジ回しに関し、より詳細には、ネジの頭部に係合する係合部を先端に有し、ネジの頭部に係合部が係合した状態でネジの軸回りに回転することでネジを回転させるネジ回し（ドライバー又はスクリュードライバー等と呼ばれることもある）に関する。
【背景技術】
【０００２】
ネジは、通常、雄ねじが外周に螺刻された軸部と、軸部の基端に設けられた頭部と、を有してなり、頭部には、ネジ回しの先端に形成された係合部と係合する凹溝（通常、プラス形状やマイナス形状）が形成されている。この凹溝にネジ回しの先端の係合部を係合させネジ回しを回転させることで、ネジの軸部に形成された雄ねじを別の雌ねじ等に螺合させたり緩めたりすることができるので、ネジは様々な分野に用いられている。
そして、このようなネジをネジ回しにより締めたり緩めたりする際、ネジがネジ回しから不意に脱落するという問題があった。かかるネジの脱落問題は、ネジを紛失することでネジの使用量が増加することのみならず、高所からのネジの落下によって下方に存する物の損傷や人の怪我を生じたり、脱落した金属製のネジによって電気回路を短絡させ損傷させたり、脱落したネジが機械的な可動部分に挟まることで設備を損傷させるといった重大な問題の原因となり得る。
【０００３】
このためネジ回しからネジの脱落を防止するため種々の提案がなされてきた（例えば、特許文献１参照）。
特許文献１には、「従来から、ビット杆を磁化して先端のビット部に磁力を具備せしめたドライバ―ビットが提案されている。これは、ビスやネジ等の螺入部材がビット部から落下することを防止するもので、ビット部を螺入部材の頭部に形成される嵌入溝に嵌入させると、螺入部材が着磁され、よって、螺入部材に指を添えなくてもそのまま螺入部材の螺着作業を行うことができ、例えば螺入部材に指を添えられない狭い箇所での螺着作業を行う際には特に有効である。尚、螺入部材を螺出する際にも有効である。」（特許文献１、段落番号０００２〜０００３）ことが記載されているが、この技術によっても「磁力が不十分で螺入部材の保持作用が弱かったり（厳密にはドライバー先端部は螺入部材の嵌入溝内に着磁するのではなく、僅かに接触する螺入部材の表面部分に着磁する構成であるから。）、衝撃が加わったり、他のドライバーとＮ極とＳ極とが互いに打ち消しあうなど時間が経つにつれ磁力が弱まりその磁力を十分に発揮できなくなってしまう場合が多い等の問題点」（特許文献１、段落番号０００４）があったと指摘されている。そして特許文献１では「ビット杆１の先端にネジやビスなどの螺入部材２の嵌入溝２ａ’に嵌入するビット部３が形成されたドライバービットであって、前記ビット杆１にはスライド移動自在に被嵌される被嵌体４が設けられ、この被嵌体４の先端部にはビット部３を嵌入させた螺入部材２の頭部２ａに着磁し得る磁石部５が設けられており、ビット杆１の先端部にはビット杆１の肉を膨出させることにより形成される膨出部６が設けられ、また、被嵌体４には前記膨出部６に係止される係止部４ａが設けられ、前記膨出部６に前記係止部４ａが係止した際、被嵌体４はビット杆１の所定位置に保持され且つビット杆１のビット部３が該被嵌体４から僅かに突出するように構成されていることを特徴とするドライバービット」（特許文献１、段落番号００１０）によって「ビット部３に連設されるビスやネジ等の螺入部材２をビット杆１に被嵌される被嵌体４の磁力により、当該螺入部材２に指を添えなくても確実に保持することができ、また、被嵌体４はビット杆１に対してスライド移動することができるから、該被嵌体４の使用位置、即ち、螺入部材２を保持する際の位置に該被嵌体４の不使用時から簡易且つ迅速に移動させることができる」（特許文献１、段落番号００１２）ものが開示されている。
【先行技術文献】
【特許文献】
【０００４】
【特許文献１】特開２００３−１６５０６７号公報（例えば、段落番号０００１〜００１３、第１〜４図等）
【考案の概要】
【考案が解決しようとする課題】
【０００５】
しかしながら、特許文献１にて開示のドライバービットにおいても、ネジを磁力により保持するものであるので、やはり、磁力が当初から不十分であったり、他のドライバーとＮ極とＳ極とが互いに打ち消しあうなど時間が経つにつれ磁力が弱まること等によって、ネジがうまく保持できない問題が生じうる。また、磁石に吸引されない材質のネジは、特許文献１にて開示のドライバービットでは全く保持されない。
そこで、本考案では、磁力によってネジを吸引することによらず、ネジ回しからネジが脱落することを防止することができるネジ回しを提供することを目的とする。
【課題を解決するための手段】
【０００６】
本考案のネジ回し（以下、「本ネジ回し」という。）は、ネジの頭部に係合する係合部を先端に有し、頭部に係合部が係合した状態でネジの軸回りに回転することでネジを回転させるネジ回し棒と、係合部が頭部に係合したネジの側方から当接部がネジに当接することでネジを保持する保持手段であって、係合部を軸方向に沿って頭部に向かって相対的に進め係合部を頭部に係合させる過程である接近過程において当接部がネジの側方からネジに当接し、頭部に係合した係合部を軸方向に沿って頭部から相対的に遠ざける過程である脱離過程において当接部がネジへの当接を解放するものである、保持手段と、を備えてなる、ネジ回しである。
本ネジ回しは、ネジ回し棒と保持手段とを備えてなる。
ネジ回し棒は、ネジの頭部に係合する係合部を先端に有し、頭部に係合部が係合した状態でネジの軸回りに回転することでネジを回転させる。ネジの頭部には、ネジ回しに係合するための凹溝（通常、プラス形状やマイナス形状）が形成されているので、この凹溝に係合可能な係合部（通常、この係合部の形状によってプラスドライバーやマイナスドライバー等と呼ばれる。）をネジ回し棒は先端に有し、ネジ回し棒は、ネジの頭部に係合部が係合した状態でネジの軸回りに回転することでネジを回転させ、ネジを締めたり緩めたりすることができる。このようなネジ回し棒は、従来のネジ回しと同様な構成である。
保持手段は、ネジ回し棒の係合部を軸（ネジの回転軸）方向に沿ってネジの頭部に向かって相対的に進め、係合部をネジの頭部に係合させる過程である接近過程において当接部がネジの側方からネジに当接することで、ネジ回し棒の係合部が頭部に係合したネジを保持する。そして、保持手段は、ネジの頭部に係合した係合部を軸（ネジの回転軸）方向に沿ってネジの頭部から相対的に遠ざける過程である脱離過程において当接部がネジへの当接を解放する。これによりネジ回し棒の係合部をネジの頭部に係合させる接近過程において保持手段の当接部がネジの側方からネジに当接することでネジを保持し、逆に、ネジの頭部に係合した係合部をネジの頭部から相対的に遠ざける脱離過程において保持手段の当接部がネジへの当接を解放する。このため本ネジ回しによれば、係合部をネジの頭部に係合させネジを締めたり緩めたりする作業において当接部がネジの側方からネジに当接することでネジが保持されるので、磁力によってネジを吸引することによらず、ネジ回しからネジが脱落を防止することができる。
【０００７】
本ネジ回しにおいては、保持手段が、先端近傍の内面が当接部としてネジの頭部を嵌入又は挟持し、ネジ回し棒に外嵌される保持筒体を有してなるもの（以下、「保持筒体保有本ネジ回し」という。）であってもよい。
こうすることでネジ回し棒に外嵌される保持筒体の先端（ネジ側の端）近傍の内面が、ネジの頭部を嵌入又は挟持することで当接部として機能しネジの側方からネジに当接してネジを保持する。このように保持筒体の先端近傍の内面によりネジの頭部が確実に保持され、そして当接部を有する保持筒体もネジ回し棒に外嵌されることでネジ回し棒に対して確実に支持されるので、ネジ回し棒の係合部が頭部に係合したネジの側方から当接部（保持筒体の先端近傍の内面）がネジに確実に当接することでネジをうまく保持することができる。
【０００８】
保持筒体保有本ネジ回しの場合、保持筒体は、先端縁からネジ回し棒の長手方向に沿ったスリットを有するもの（以下、「スリット形成本ネジ回し」という。）であってもよい。
このような先端（ネジ側の端）縁からネジ回し棒の長手方向に沿ったスリットを形成することで、保持筒体の先端近傍がある程度拡大することが容易になるので（保持筒体の先端近傍が変形し易くなる）、ネジの頭部の寸法がある程度変化してもネジの頭部を（保持筒体の先端近傍を変形させつつ）嵌入又は挟持することができる。
【０００９】
スリット形成本ネジ回しの場合、保持筒体の外周を巡るように周回され前記スリットの幅を縮める弾性部材（以下、「弾性部材保有本ネジ回し」という。）をさらに有するものであってもよい。
こうすることで保持筒体の外周を巡るように周回された弾性部材（ゴム、ばね等）が縮まろうとすることにより（弾性力）、保持筒体の外周を縮小させる方向に力が加わり、スリットの幅（ネジ回し棒の長手方向に対して垂直な平面による断面にあらわれるスリットの寸法）を縮める。これによってスリットを有する保持筒体の先端近傍を変形させつつネジの頭部を保持筒体の先端近傍に嵌入又は挟持させたとき、弾性部材の弾性力がスリットの幅を縮めるようにはたらくことで、該先端近傍の内面がネジの頭部に確実に当接することでネジをうまく保持することができる。
【００１０】
弾性部材保有本ネジ回しの場合、弾性部材が、スリットが形成された保持筒体の部分をネジ回し棒の長手方向に沿って移動可能なものであってもよい。
こうすることで同じ弾性部材であってもスリットが形成された保持筒体の部分をネジ回し棒の長手方向に沿って移動させることでスリットの幅を縮める量を変化させることができる（弾性部材を先端方向に移動させる方がスリットの幅を大きく縮める。）。このためネジ回し棒の長手方向に沿った弾性部材の位置を調節することで、ネジの頭部の寸法変化にある程度の範囲で対応できる。
【００１１】
保持筒体保有本ネジ回しの場合、保持筒体が、ネジ回し棒の長手方向に沿ってスライド可能なもの（以下、「スライド可能本ネジ回し」という。）であってもよい。
こうすることでネジ回し棒の係合部がネジの頭部に係合する際に保持筒体が邪魔になる場合（例えば、ネジの頭部の近くに保持筒体に当接する邪魔物が存在したり、ネジの頭部が大きく保持筒体の先端近傍の内面がネジの頭部をうまく嵌入又は挟持できないような場合）、保持筒体を、ネジ回し棒の長手方向に沿って基端方向（ネジとは反対方向）にスライドさせることで、保持筒体の邪魔を回避しネジ回し棒の係合部がネジの頭部に係合可能にすることができる（通常のネジ回しとして使用できる。）。
【００１２】
スライド可能本ネジ回しの場合、保持手段が、保持筒体を先端方向に付勢する付勢手段を有してなるもの（以下、「付勢手段具備本ネジ回し」という。）であってもよい。
こうすることでネジ回し棒の係合部がネジの頭部に係合する際に保持筒体が邪魔になる場合には、付勢手段の付勢力に抗して保持筒体を基端方向にスライドさせることでネジ回し棒の係合部がネジの頭部に係合できると共に、保持筒体が邪魔にならない場合には、付勢手段の付勢力によって保持筒体の先端近傍の内面がネジの頭部を嵌入又は挟持することができる位置に保持されやすくなるので、本ネジ回しの使用を便ならしめることができる。
【００１３】
付勢手段具備本ネジ回しの場合、保持手段が、ネジ回し棒と保持筒体の基端とに外嵌されネジ回し棒に取り付けられる介在筒体であって、保持筒体が所定位置を越えて先端方向に移動することを禁止する介在筒体を有してなるもの（以下、「介在筒体具備本ネジ回し」という。）であってもよい。
保持手段が有する介在筒体が、ネジ回し棒と保持筒体の基端とに外嵌されると共に、ネジ回し棒に取り付けられ、さらに保持筒体が所定位置を越えて先端方向に移動することを禁止する。このため介在筒体は、ネジ回し棒と保持筒体の基端とを内嵌させ両者をうまく保持した状態を保持し、ネジ回し棒に取り付けられると共に、保持筒体が所定位置を越えて先端方向に移動することを禁止するので、保持筒体がネジ回し棒の長手方向に沿ってある範囲（先端方向の限界は該所定位置である）内でスライド可能な状態でうまく保持される。
【００１４】
介在筒体具備本ネジ回しの場合、付勢手段が介在筒体に内蔵されるものであってもよい。
こうすることでゴム製の線材やばね等によって構成される付勢手段を介在筒体に内蔵させることで、破損や紛失しやすい付勢手段を保護することができると共に、本ネジ回しの小型化に資することができる。
【図面の簡単な説明】
【００１５】
【図１】本考案の一例のネジ回し（本ネジ回し）を示す図である。
【図２】本ネジ回しの分解図である。
【図３】介在筒体の詳細図である。
【図４】保持筒体の詳細図である。
【図５】図１のＦ−Ｆ断面図（一部省略）である。
【図６】本ネジ回しの使用方法について説明する図である。
【図７】図６（ｂ）において矢印Ｑにて指した部分の拡大図である。
【考案を実施するための形態】
【００１６】
本考案の実施の形態を図面を参照して詳述するが、本考案はこれに限定されるものではない。
【００１７】
図１は、本考案のネジ回し（本ネジ回し）１１を示す図であり、図２は本ネジ回し１１の分解図（後述の第１ビス１３７ａ及び第２ビス１３７ｂは図示していない）であり、図３は介在筒体３１の詳細図（図３（ａ）は図１及び図２と同様の位置から見たところを示しており、図３（ｂ）は図３（ａ）の矢印Ｂ方向から見たところ（左側面図）を示しており、図３（ｃ）は図３（ａ）の矢印Ｃ方向から見たところ（右側面図）を示しており、そして図３（ｄ）は図３（ａ）のＤ−Ｄ断面図である。）であり、図４は保持筒体６１の詳細図（図４（ａ）は図２と同様の位置から見たところを示しており、図４（ｂ）は図４（ａ）の矢印Ｂ方向から見た端面（左端面図）を示しており、図４（ｃ）は図４（ａ）の矢印Ｃ方向から見たところ（右側面図）を示しており、そして図４（ｄ）は図４（ａ）のＤ−Ｄ断面図である。）であり、そして図５は図１のＦ−Ｆ断面図（一部省略）である。図１乃至図５を参照して、本ネジ回し１１について説明する。
本ネジ回し１１は、大まかには、ネジ頭部（不図示）に係合する係合部２１ａを先端に有するネジ回し棒２１と、ネジ回し棒２１に外嵌される介在筒体３１と、ネジ回し棒２１に外嵌され介在筒体３１に内蔵される付勢バネ５１と、介在筒体３１及び付勢バネ５１よりも先端（係合部２１ａ方向）側においてネジ回し棒２１に外嵌される保持筒体６１と、保持筒体６１の先端近傍に外嵌される一対のゴムリング８１ａ、８１ｂと、を備えてなる。
【００１８】
ネジ回し棒２１は、直線（図１及び図２中、点線Ａにて示す）に沿った真っ直ぐな丸棒（鋼製）によって形成されており、先端には、ネジの頭部（不図示）に係合する係合部２１ａ（ここではプラス「＋」形状）を有すると共に、基端には把持部２５（該直線を回転軸とする略円錐台形）が取り付けられている。このようなネジ回し棒２１とその基端に取り付けられた把持部２５は、従来から多用されている「ネジ回し」又は「ドライバー」と称されるものと同様の構成である。
【００１９】
介在筒体３１は、全体としては、軸Ａ１を中心軸とした直円柱形状を略なしており、先端側から形成された先端側内部空間３３と、基端側から形成された基端側内部空間３５と、によって中空の筒体を形成している（特に図３参照）。詳述すれば、先端側内部空間３３は、軸Ａ１を中心軸とした半径ｒ３の直円柱形状を略なす内部空間であり、そして基端側内部空間３５は、軸Ａ１を中心軸とした半径ｒ５（但しｒ５＜ｒ３）の直円柱形状を略なす内部空間であり、先端側内部空間３３の基端側と基端側内部空間３５の先端側とは互いに連通することで先端側内部空間３３と基端側内部空間３５とが一体となって介在筒体３１の内部空間を形成している。
そして、軸Ａ１に対して垂直な互いに平行な一対の線分Ｅ１、Ｅ２に沿ってネジ穴３７ａ、３７ｂが穿設されている。ネジ穴３７ａ、３７ｂのいずれの内周面にも雌ねじが螺刻されている。ネジ穴３７ａは先端側内部空間３３に連通するように、そしてネジ穴３７ｂは基端側内部空間３５に連通するように形成されている。なお、基端側内部空間３５は、ネジ回し棒２１を嵌入可能に形成されている（具体的には、ネジ回し棒２１の半径ｒｓよりも半径ｒ５が大きい。ｒ５＞ｒｓ）。
【００２０】
付勢バネ５１は、ばね鋼によって形成されたコイルばねであり、直円柱の側面に沿った形状を有することで、ネジ回し棒２１に外嵌される（付勢バネ５１の内半径は半径ｒｓよりやや大きい。）と共に介在筒体３１の先端側内部空間３３に収容される（付勢バネ５１の外半径は半径ｒ３より小さい。）。そして、付勢バネ５１は、先端側内部空間３３から基端側内部空間３５へ縮径することで形成される段輪部３４を通過できない（付勢バネ５１の外半径は半径ｒ５より大きい。）。
【００２１】
保持筒体６１は、全体としては、軸Ａ２を中心軸とした直円柱（外周の半径ｒ７）形状を略なす中空パイプ状の本体部６３と、本体部６３の基端に取り付けられたフランジ部６５と、を有してなる（特に図４参照）。
フランジ部６５は、軸Ａ２を中心軸とし中心部分に開口が形成されたドーナツ状をなしており、その外縁６５ｃは略円形（半径ｒ６。但しｒ６＞ｒ７）を形成している。この半径ｒ６の円形に沿った外縁６５ｃは、先端側内部空間３３に収容可能に形成されている（ｒ６＜ｒ３）。
本体部６３は、上述のフランジ部６５が基端に形成されており、その内部空間６３ａは軸Ａ２を中心軸とした直円柱（半径ｒ８）形状をなしており、内部空間６３ａにネジ回し棒２１を嵌入可能に形成されている（具体的には、ネジ回し棒２１の半径ｒｓよりも半径ｒ８が大きい）。そして、本体部６３の先端縁から４本のスリット６３ｓが軸Ａ２に沿って形成されている。詳述すれば、軸Ａ２を含む互いに直交する一対の平面が本体部６３を通過する位置に沿って先端縁から４本のスリット６３ｓ（軸Ａ２に沿った４本のスリット６３ｓの長さＬはいずれも同じ）が形成されている。
なお、付勢バネ５１は、内部空間６３ａに内嵌できないので（付勢バネ５１の外半径は半径ｒ８より大きい。）、付勢バネ５１の先端側はフランジ部６５の基端面６５ｆに当接する。
【００２２】
そして、特に図５に示すように、ネジ穴３７ａには第１ビス１３７ａが螺合されると共に（ネジ穴３７ａの内周面に螺刻された雌ねじに螺合する雄ねじが第１ビス１３７ａの外周に螺刻されている。）、ネジ穴３７ｂには第２ビス１３７ｂが螺合されている（ネジ穴３７ｂの内周面に螺刻された雌ねじに螺合する雄ねじが第２ビス１３７ｂの外周に螺刻されている。）。
第１ビス１３７ａは、フランジ部６５が通過できず、かつその先端（先端側内部空間３３に存する端）が本体部６３に接触しないように先端の位置が調節されているので、フランジ部６５が第１ビス１３７ａに当接するまでは保持筒体６１は介在筒体３１に対して先端方向に移動できるがその位置を越えてされに先端方向への移動は禁止される。
一方、第２ビス１３７ｂはその先端（基端側内部空間３５に存する端）がネジ回し棒２１の外面に当接することで、ネジ回し棒２１に対して介在筒体３１を固定し取り付けている。
【００２３】
以上のように、ネジ回し棒２１に対して介在筒体３１が取り付けられており、介在筒体３１の先端側内部空間３３には付勢バネ５１がネジ回し棒２１に外嵌される状態で配設され、そしてフランジ部６５（第１ビス１３７ａ位置を通過不可能）が付勢バネ５１側になるように保持筒体６１（ネジ回し棒２１に外嵌される状態）の基端側が介在筒体３１の先端側内部空間３３に収容されている。これにより保持筒体６１はネジ回し棒２１及び介在筒体３１に対してネジ回し棒２１の長手方向Ｍに沿ってスライド可能であるが、そのスライド可能な範囲は、先端方向へはフランジ部６５が第１ビス１３７ａに当接する位置であり、基端方向へはフランジ部６５が付勢バネ５１を最大限押し縮めることができる位置である。
【００２４】
図６は、本ネジ回し１１の使用方法について説明する概略図であり、図７は図６（ｂ）において矢印Ｑにて指した部分の拡大図である（理解を容易にするため、スリット６３ｓが大きく拡がった状態を示している。）。図６及び図７を参照して、本ネジ回し１１の使用方法について説明する。ここでは壁面２０１に嵌入されたネジ３０１を本ネジ回し１１を用いて緩める例を説明する。
まず、図６（ａ）に示すように、ネジ回し棒２１の係合部２１ａを軸（矢印Ｓ）方向に沿ってネジ３０１の頭部３０３に向かって進め、係合部２１ａを頭部３０３に係合させる（接近過程）。
そして、係合部２１ａを頭部３０３に係合させるとき（接近過程）、保持筒体６１の先端が頭部３０３に接触するが、さらにネジ回し棒２１の係合部２１ａを軸方向（矢印Ｓ）に沿って進めると、保持筒体６１は付勢バネ５１により先端方向に付勢されることで、頭部３０３は保持筒体６１の先端近傍の内部に嵌入される（頭部３０３に保持筒体６１の先端近傍が外嵌される。）。この状態が図７に示された状態である。なお、係合部２１ａを頭部３０３に係合させる（接近過程）前に、頭部３０３の大きさに応じ、保持筒体６１の先端近傍に外嵌された一対のゴムリング８１ａ、８１ｂをネジ回し棒２１の長手方向Ｍに沿って移動させ位置を調節してもよい（頭部３０３が大きいほどゴムリング８１ａ、８１ｂを基端側に移動させスリット６３ｓが拡がりやすくする。）。図７に示した状態では、ゴムリング８１ａ、８１ｂの収縮力と保持筒体６１の先端近傍の応力とによって頭部３０３は保持筒体６１の先端近傍内面により十分な力で保持される。
【００２５】
この図７のように頭部３０３が保持筒体６１の先端近傍の内部に嵌入された状態のまま、図６（ｂ）に示すようにネジ回し棒２１を回転（矢印Ｒ）させネジ３０１を回転させ緩めて壁面２０１から抜き取る。抜き取られたネジ３０１は頭部３０３が保持筒体６１の先端近傍の内部にしっかりと嵌入されているので、本ネジ回し１１から不意に脱落することはない。なお、図７のように、係合部２１ａを頭部３０３に係合させると共に、頭部３０３が保持筒体６１の先端近傍の内部に嵌入された状態では、付勢バネ５１が保持筒体６１をネジ回し棒２１に対して先端方向に付勢しないようにされているので（付勢バネ５１の長さや本体部６３の長さ等によってこのように調節することができる。）、係合部２１ａの頭部３０３への係合が保たれる。
以上のようにして、壁面２０１に嵌入されたネジ３０１を本ネジ回し１１を用いて緩め抜き取ることができるが、これと同様に、ネジ３０１を手で把持する等して図７のようにネジ３０１の頭部３０３を保持筒体６１の先端近傍の内部に嵌入させ、その状態でネジ３０１を締めることもできる。このようにネジ３０１を本ネジ回し１１を用いることで、本ネジ回し１１からネジ３０１が不意に脱落することなく、ネジ３０１を締めたり緩めたりをうまく行うことができる。
なお、ネジ３０１の頭部３０３に係合した係合部２１ａを軸（矢印Ｓ）方向に沿って頭部３０３から遠ざけるようにすれば（脱離過程）、保持筒体６１の先端近傍内面による頭部３０３の保持力に打ち勝って、ネジ３０１の頭部３０３を保持筒体６１の先端近傍から外すことができる。
また、図６（ｃ）に示すように、保持筒体６１が邪魔になってネジ回し棒２１の係合部２１ａがネジ３０１の頭部３０３に係合できない場合（ここではネジ３０１の頭部３０３の近くに保持筒体６１に当接する邪魔物４０１が存在することによる。）、保持筒体６１を、付勢バネ５１の付勢力に抗して（付勢バネ５１を押し縮めて）ネジ回し棒２１の長手方向Ｍに沿って基端方向（ネジ３０１とは反対方向）にスライドさせることで、保持筒体６１の邪魔を回避しネジ回し棒２１の係合部２１ａがネジ３０１の頭部３０３に係合することができる。
【００２６】
以上説明したように、本ネジ回し１１は、ネジ３０１の頭部３０３に係合する係合部２１ａを先端に有し、頭部３０３に係合部２１ａが係合した状態でネジ３０１の軸Ｓ回りに回転することでネジ３０１を回転させるネジ回し棒２１と、係合部２１ａが頭部３０３に係合したネジ３０１の側方から当接部（ここでは保持筒体６１の先端近傍の内面）がネジ３０１に当接することでネジ３０１を保持する保持手段（ここでは保持筒体６１、付勢バネ５１及び介在筒体３１を含んで構成される。）であって、係合部２１ａを軸Ｓ方向に沿って頭部３０３に向かって相対的に進め係合部２１ａを頭部３０３に係合させる過程である接近過程（図６（ａ））において当接部（保持筒体６１の先端近傍の内面）がネジ３０１の側方からネジ３０１に当接し、頭部３０３に係合した係合部２１ａを軸Ｓ方向に沿って頭部３０３から相対的に遠ざける過程である脱離過程において当接部（保持筒体６１の先端近傍の内面）がネジ３０１への当接を解放するものである、保持手段（保持筒体６１、付勢バネ５１及び介在筒体３１を含む）と、を備えてなる、ネジ回しである。ここではネジ３０１の回転軸Ｓに対して垂直方向に沿った分力（ネジ３０１を押す方向の分力）を有するように当接部がネジ３０１に当接しているので、ネジの側方からネジに当接している。
【００２７】
本ネジ回し１１においては、保持手段（保持筒体６１、付勢バネ５１及び介在筒体３１）が、先端近傍の内面が当接部（保持筒体６１の先端近傍の内面）としてネジ３０１の頭部３０３を嵌入又は挟持（ここでは嵌入）し、ネジ回し棒２１に外嵌される保持筒体６１を有してなる。
本ネジ回し１１においては、保持筒体６１は、先端縁からネジ回し棒２１の長手方向Ｍに沿ったスリット６３ｓを有するものである。
本ネジ回し１１においては、保持筒体６１の外周を巡るように周回され前記スリット６３ｓの幅を縮める弾性部材（一対のゴムリング８１ａ、８１ｂ）をさらに有するものである。
そして、本ネジ回し１１においては、弾性部材（一対のゴムリング８１ａ、８１ｂ）が、スリット６３ｓが形成された保持筒体６１の部分をネジ回し棒２１の長手方向Ｍに沿って移動可能なものである。
本ネジ回し１１においては、保持筒体６１が、ネジ回し棒２１の長手方向Ｍに沿ってスライド可能なものである。
本ネジ回し１１においては、保持手段（保持筒体６１、付勢バネ５１及び介在筒体３１を含む）が、保持筒体６１を先端方向に付勢する付勢手段（付勢バネ５１）を有してなる。
本ネジ回し１１においては、保持手段（保持筒体６１、付勢バネ５１及び介在筒体３１を含む）が、ネジ回し棒２１と保持筒体６１の基端とに外嵌されネジ回し棒２１に取り付けられる介在筒体３１であって、保持筒体６１が所定位置（フランジ部６５が第１ビス１３７ａに当接する位置）を越えて先端方向に移動することを禁止する介在筒体３１を有してなる。
そして本ネジ回し１１においては、付勢手段（付勢バネ５１）が介在筒体３１（先端側内部空間３３）に内蔵されるものである。
【符号の説明】
【００２８】
１１            本ネジ回し
２１            ネジ回し棒
２１ａ          係合部
２５            把持部
３１            介在筒体
３３            先端側内部空間
３４            段輪部
３５            基端側内部空間
３７ａ、３７ｂ  ネジ穴
５１            付勢バネ
６１            保持筒体
６３            本体部
６３ａ          内部空間
６３ｓ          スリット
６５            フランジ部
６５ｆ          基端面
６５ｃ          外縁
８１ａ、８１ｂ  ゴムリング
１３７ａ          第１ビス
１３７ｂ          第２ビス
２０１            壁面
３０１            ネジ
３０３            頭部
４０１            邪魔物
【図１】
0003156695.tif 000003
【図２】
0003156695.tif 000004
【図３】
0003156695.tif 000005
【図４】
0003156695.tif 000006
【図５】
0003156695.tif 000007
【図６】
0003156695.tif 000008
【図７】
0003156695.tif 000009